(57)【特許請求の範囲】
【請求項１】
荷重を弾性的に支えるクッション部材と、表皮パーツの端を縫着してなり前記クッション部材を覆う表皮と、前記表皮パーツ端間に挟んで共縫いされて前記表皮の表面から起立姿勢で突き出た表示タグとを有する車両用シートであって、
前記表示タグの縫着される部位には、前記表示タグを前記クッション部材へ引き込む引込部を有し、
前記クッション部材は、前記表示タグの縫着された部位と向き合う地点に凹部を有し、
前記引込部は、前記表示タグの縫着側の端部を前記表皮パーツ端から前記クッション部材の凹部内へ延ばした延長部と、前記延長部を前記表皮パーツ端と共に前記凹部内に引き込んで固定する固定部とを有する
ことを特徴とする車両用シート。
【請求項２】
荷重を弾性的に支えるクッション部材と、表皮パーツの端を縫着してなり前記クッション部材を覆う表皮と、前記表皮パーツ端間に挟んで共縫いされて前記表皮の表面から起立姿勢で突き出た表示タグとを有する車両用シートであって、
前記表示タグの縫着される部位には、前記表示タグを前記クッション部材へ引き込む引込部を有し、
前記クッション部材は、前記表示タグの縫着された部位と向き合う地点に凹部を有し、
前記引込部は、一端を前記表示タグの縫着側の端部と共縫いし他端を前記クッション部材の凹部内へ延ばした引込み部材と、前記引込み部材の前記他端を前記凹部内に引き込んで固定する固定部とを有する
ことを特徴とする車両用シート。
【請求項３】
前記固定部は、前記凹部内の底側に固定された被連結部材と、前記延長部と前記被連結部材とを前記クッション部材の弾性に抗して連結する連結部材とを有することを特徴とする請求項１に記載の車両用シート。
【請求項４】
前記固定部は、前記凹部内の底側に固定された被連結部材と、前記引込み部材の他端と前記被連結部材とを前記クッション部材の弾性に抗して連結する連結部材とを有することを特徴とする請求項２に記載の車両用シート。
【発明の詳細な説明】
【技術分野】
【０００１】
本発明は、表示タグが表皮に縫着された車両用シートに関する。
【背景技術】
【０００２】
自動車（車両）のシートは、荷重を弾性的に支えるクッション部材に、同クッション部材の表面を覆うよう表皮を設けることが行われている。表皮の多くは、複数の表皮パーツの端を縫着した構造が用いられている（引用文献１を参照）。
こうした車両用シートでは、表皮に表示タグを縫い付けて、シート各部の表示、シート周辺の特定構造物の所在や機能を表示することなどが行われている。多くの表示タグは、表皮パーツ端間に挟んで共縫し、先端側を表皮の表面から突き出して、表示タグの両側面に表示されている事項が周囲に見えるようにしている（特許文献２，３を参照）。
【先行技術文献】
【特許文献】
【０００３】
【特許文献１】特開２０１３−  ３４５２９号公報
【特許文献２】特開２０１３−１８９１５６号公報
【特許文献３】特開２０１３−  ３４５２９号公報
【発明の概要】
【発明が解決しようとする課題】
【０００４】
ところで、表示タグは、どの方向からでも乗員から認識しやすいよう、表皮の上面から起立していることが望ましい。
ところが、表示タグは、表皮パーツ端で共縫いされているだけなので、その姿勢は不安定である。このため、表示タグは、表皮をクッション部材に組み付ける組付時のばらつきなどの影響で、縫い合わせた部分から左右方向（両側方向）へ倒れやすい。
【０００５】
しかも、表示タグは、外力を受けて、縫い合わせた部分と一緒に倒れてしまうと、元の位置に戻りにくい。このため、姿勢の安定性の点に難点があり、表示タグの向きが変わりやすい。そのうえ、複数個所に表示タグが有る場合、表示タグが不揃い（同一姿勢でない）となりやすく、表示タグの見栄えが損なわれやすい。
そこで、本発明の目的は、表示タグが起立姿勢に保ち続けられる車両用シートを提供する。
【課題を解決するための手段】
【０００６】
本発明の第１の態様は、荷重を弾性的に支えるクッション部材と、表皮パーツの端を縫着してなりクッション部材を覆う表皮と、表皮パーツ端間に挟んで共縫いされて前記表皮の表面から起立姿勢で突き出た表示タグとを有する車両用シートであって、表示タグの縫着される部位には、表示タグをクッション部材へ引き込む引込部を有し、クッション部材は、表示タグの縫着された部位と向き合う地点に凹部を有し、引込部は、表示タグの縫着側の端部を表皮パーツ端からクッション部材の凹部内へ延ばした延長部と、延長部を表皮パーツ端と共に凹部内に引き込んで固定する固定部とを有するものとした。
本発明の第２の態様は、荷重を弾性的に支えるクッション部材と、表皮パーツの端を縫着してなりクッション部材を覆う表皮と、表皮パーツ端間に挟んで共縫いされて表皮の表面から起立姿勢で突き出た表示タグとを有する車両用シートであって、表示タグの縫着される部位には、表示タグをクッション部材へ引き込む引込部を有し、クッション部材は、表示タグの縫着された部位と向き合う地点に凹部を有し、引込部は、一端を表示タグの縫着側の端部と共縫いし他端をクッション部材の凹部内へ延ばした引込み部材と、引込み部材の他端を凹部内に引込んで固定する固定部とを有するものとした。
【発明の効果】
【０００７】
本発明によれば、表示タグ、同表示タグの縫着される縫着部位は、クッション部材側へ引き込まれるから、引込力により、表示タグの全体は、縫着部分と共に、表皮表面に対しほぼ直交する向きである真っ直ぐの向き、すなわち表皮から起立した姿勢に保持（矯正）され続けられる。
それ故、表示タグ全体は、表皮の表面から起立した姿勢に保ち続けることができる。これにより、常に表示タグの向きは、周囲から見やすい向きに安定して保たれるので、見栄えがよい。特に表示タグが複数、有る場合には、いずれも同じ向きに揃うため、有効である。
【図面の簡単な説明】
【０００８】
【図１】本発明の第１の実施形態の車両用シートを、表示タグと共に示す斜視図。
【図２】図１中の表示タグの有るＡ部を拡大、並びに一部断面して示す斜視図。
【図３】同Ａ部の各部を分解した斜視図。
【図４】同表示タグの斜視図。
【図５】図２中の矢視Ｂから見たＡ部の側面図。
【図６】本発明の第２の実施形態の要部となる、表示タグの有る部位を分解した斜視図。
【図７】同部位において表示タグを引き込んだ状態を示す断面図。
【発明を実施するための形態】
【０００９】
以下、本発明を図１から図５に示す第１の実施形態にもとづいて説明する。
図１は、自動車（車両）のシート、例えばフロントシートＳを示していて、図中１は乗員（図示しない）が座るシートクッション、３は乗員（図示しない）の背をもたせかけるシートバックを示している。
シートクッション１およびシートバック３は、いずれも図２および図３に示されるようにシートフレーム部材（図示しない）上に、クッション部材５を組み付け、このクッション部材５の表面を表皮７で被覆した構造でなる。
【００１０】
例えばクッション部材５は、例えばポリウレタンフォームなどで、座部形状や背もたれ形状（いずれもシート外形）に成形されていて、加わる荷重を弾性的に支えるものである。表皮７は、座部形状や背もたれ形状の各部形状に整形された複数の表皮パーツ９ａの端同士を、表面同士が向き合う姿勢で縫着して、所定の形状としている。縫着部となる縫い脚１１は、表皮７の裏面に向く。この表皮７が、クッション部材５の表面を覆うように被覆される。そして、表皮７の各部は、図示しない止め具などにより、シートフレーム部材（図示しない）に固定され、表皮７全体をクッション部材５の表面に密着させ、表皮７を座部形状や背もたれ形状に沿わせている（図１）。
【００１１】
このフロントシートＳには、図１に示されるようにシート各部や、シート周辺の特定構造物の所在や機能などを表示する表示タグ、例えば所在を表示する２種類の表示タグ１３，１５が設けられている。例えば表示タグ１３は、サイドエアバッグ（図示しない）の所在を示すタグである。表示タグ１５は、フロントシートＳ周辺に配置されているチャイルドシートのアンカ（いずれも図示しない）の所在を示すタグである。このため、表示タグ１３は、サイドエアバッグ（図示しない）が組み込まれている部位の近く、ここではシートバック３の背もたれ面の側部上段に配置され、表示タグ１５は、チャイルドシートのアンカが配置されている地点の近く、ここではシートバック３の背もたれ面の側部下段に配置されている。
【００１２】
表示タグ１３，１５は、いずれも図３および図４のように例えば布製の帯形タグ部材をＵ状に曲げたＵ形タグ部材で形成される。このＵ形タグ部材は、表皮パーツ９ａの縫合部分を利用して、シートバック３の背もたれ面の上・下段に取り付けられている。具体的には、Ｕ形タグ部材は、基端部を背もたれ面を形成する表皮パーツ９ａ端間（縫い脚１１間）に挟んで、同表皮パーツ９ａ端と共縫いして固定される。そして、Ｕ形タグ部材で形成された表示タグ１３，１５の先端側を、表皮７の表面から突き出して、表示タグ１３，１５部分の両側面に表示されている表示事項１７（表示している範囲しか図示せず）が周囲に見えるようにしている。
【００１３】
表示タグ１３，１５には、常に表皮７の表面から表示タグ１３，１５を起立させ続ける手立てが講じられている。同手立てには、例えば図２に示されるような引込部１９を用いて、表示タグ１３，１５の縫着される部位をクッション部材５側へ引き込む構造が採用されている。同構造は、表示タグ１３，１５共、同じである。このため、ここでは図１中のＡ部で示す表示タグ１５の構造についてのみ説明する。同構造の詳細は、図３〜図５に示されている。
【００１４】
図２〜図５を参照して同構造を説明すると、シートバック３のクッション部材５には、表示タグ１５の縫着された縫着部位αと向き合う地点の表面に溝形の凹部２１が形成されている。ここでは、縫い脚１１を収める溝部の一部を活用して凹部２１としている。
引込部１９は、図４に示されるように表示タグ１５の基端側の端部（縫着側の端部）全体を、縫い脚１１端から延ばし、凹部２１内の底側まで進入するまで延長させた延長部２３を有している。図４中のδは、表示タグ１５を延長した長さ寸法を示す。また引込部１９は、図２に示されるように上記延長部２３を、縫い脚１１と共に凹部２１内に引き込む固定構造２５（本願の固定部に相当）を有している。そして、固定構造２５と延長部２３とにより、縫着部位αを、凹部２１内を通じてクッション部材５側へ引き込んでいる。
【００１５】
具体的には固定構造２５は、例えば図３に示されるように凹部２１内の底側に設けられた被連結部材であるところの例えばワイヤ部材２７（インサート成形による）と、延長部２３に形成された連結用の通孔２９と、延長部２３とワイヤ部材２７を連結する連結部材、例えばＣ形リング部材３１を有している。これにより、図２、図３および図５に示されるように延長部２３とワイヤ部材２７とを、通孔２９に通したＣ形リング部材３１にて、クッション部材５の弾性に抗しながら連結している。これで、延長部２３や縫着部位αを凹部２１内へ引込んでいる。
【００１６】
こうした構造により、図２および図５に示されるように表示タグ１５および同表示タグ１５の有る縫い脚１１部分は、引込力Ｆを受けて、一緒に表皮表面に対しほぼ直交する向きとなる真っ直ぐの向きに矯正される。すなわち、表示タグ１５は、加わる引込力Ｆにより、図５に示されるように表皮７から起立した姿勢に保持され続けられる。
それ故、表示タグ１５の全体は、たとえ外力が加わったり、表皮７の組み付けの際にばらつくことがあったとしても、図５中の二点鎖線で示されるように左右方向（両側方向）に倒れたままとならずに、常に表皮７の表面から起立した姿勢に保ち続けられる。これにより、表示タグ１５の向きは、常に周囲から見やすい向きに安定して保たれ続けるので、見栄えはよい。しかも、複数の表示タグ１３，１５は、いずれも同じ向きに揃うため、フロントシートＳの見栄えは良好である。
【００１７】
しかも、引込構造は、表示タグ１５に延長部２３を形成し、同延長部２３を凹部２１内に引き込んで固定する構造を用いてあるので、引込力Ｆは表示タグ１５に安定して加えられる。このため、安定した表示タグ１５の起立姿勢が約束できる。特に引込構造には、凹部２１内にワイヤ部材２７（被連結部材）を設けて、表示タグ１５の延長部２３を、Ｃ形リング部材３１（連結部材）で、ワイヤ部材２７に連結する構造を用いたので、簡単な構造ですむ。
【００１８】
もちろん、表示タグ１３についても同様の効果を奏する。
図６および図７は、本発明の第２の実施形態を示す。本実施形態は、第１の実施形態の変形例で、表示タグ１５と一体な延長構造でなく、表示タグ１５と別体な延長構造を用いて、表示タグ１５の縫着される縫着部位αをクッション部材５へ引き込むようにしたものである。
【００１９】
具体的には、表示タグ１５の縫着される縫着部位αに、延長部の代わりとなる引込み部材、例えば帯形の引込み布４１（本願の引込み部材に相当）の一方端を共縫いして、他方端を凹部２１内まで延ばす。そして、同他方端に設けた係止部、例えば針金部材４３を、Ｃ形リング部材４５（連結部材）で、クッション部材５の弾性に抗して、凹部２１内のワイヤ部材２７に連結するようにしたものである。このようにしても、第１の実施形態と同様の効果を奏する。
【００２０】
但し、図６および図７において、第１の実施形態と同じ部分には同一符号を付して、その説明を省略した。
なお、上述した各実施形態における各構成およびそれの組合わせ等は一例であり、本発明の趣旨から逸脱しない範囲内で、構成の付加、省略、置換、およびその他の変更が可能であることはいうまでもない。また本発明は、実施形態によって限定されることはなく、「特許請求の範囲」によってのみ限定されることはいうまでもない。
【符号の説明】
【００２１】
５  クッション部材
７  表皮
９ａ  表皮パーツ
１３，１５  表示タグ
１９  引込部
２１  凹部
２３  延長部
２５  固定構造（固定部）
２７  ワイヤ部材（被連結部材）
３１  Ｃ形リング部材（連結部材）
４１  引込み布（引込み部材）
α  縫着部位
【図１】
0006447809.tif 000002
【図２】
0006447809.tif 000003
【図３】
0006447809.tif 000004
【図４】
0006447809.tif 000005
【図５】
0006447809.tif 000006
【図６】
0006447809.tif 000007
【図７】
0006447809.tif 000008